(57)【特許請求の範囲】
【請求項１】
シート・クッションの着座面の後方部分に開口されてその着座面にチャイルド・シート・アンカレッジを突き出すアンカレッジ開口に差し込まれるスリーブと、そのスリーブの上端に一体的に形成されてそのアンカレッジ開口のまわりのその着座面を覆うフランジと、そのフランジの前側部分の表面にへこんでそれの裏面に突き出され、そして、そのシート・クッションのフレーム上に据えられる複数の突出し座とを含むトリム・カバー・プロテクタ。
【請求項２】
そのスリーブ、フランジ、および突出し座が、樹脂から一体成形される請求項１に記載のトリム・カバー・プロテクタ。
【発明の詳細な説明】
【０００１】
【発明の関係する分野】
この発明は、チャイルド・シートが取り付け可能にされるところの乗り物シートに使用されるトリム・カバー・プロテクタに関する。
【０００２】
【背景技術】
最近、チャイルド・シートは、背裏の下端にロック装置を突き出し、そして、そのロック装置で自動車シートのシート・クッションに取り付けられる構造を採用する傾向にある。その自動車は、また、そのチャイルド・シートのそのロック装置に対応してそのシート・クッションの着座面の後方部分に一対のアンカレッジ開口を左右方向に所定の間隔を置いて開口し、そのアンカレッジ開口からその着座面にチャイルド・シート・アンカレッジを突き出し、そして、そのチャイルド・シート・アンカレッジにそのロック装置をかみ合わせてそのシート・クッションにそのチャイルド・シートを取り付け可能にする。したがって、そのロック装置がそのシート・クッションとシート・バックとの間の隙間に無理に差し込まれてそのチャイルド・シート・アンカレッジにかみ合わせられようとすると、そのアンカレッジ開口のまわりにあるトリム・カバーがそのロック装置に引っ掛かり、そして、作業性が悪くなる恐れがあった。
【０００３】
【発明の課題】
この発明の課題は、シート・クッションの着座面の後方部分に開口されてチャイルド・シート・アンカレッジを突き出すアンカレッジ開口のまわりにあるトリム・カバーがチャイルド・シートのロック装置から保護されるところのトリム・カバー・プロテクタの提供にある。
【０００４】
【課題に相応する手段およびそれの作用】
この発明は、シート・クッションの着座面の後方部分に開口されてその着座面にチャイルド・シート・アンカレッジを突き出すアンカレッジ開口に差し込まれるスリーブと、そのスリーブの上端に一体的に形成されてそのアンカレッジ開口のまわりのその着座面を覆うフランジと、そのフランジの前側部分の表面にへこんでそれの裏面に突き出され、そして、そのシート・クッションのフレーム上に据えられる複数の突出し座とを含み、そして、そのフランジでチャイルド・シートのロック装置からトリム・カバーを保護する。
【０００５】
【具体例の説明】
以下、特定されて図示された具体例に基づいて、この発明のトリム・カバー・プロテクタを説明するに、図１ないし図３は、ワゴンのリア・シート２０に活用されるところのこの発明のトリム・カバー・プロテクタの具体例１０、１０、１０、１０を示し、そして、そのリア・シート２０は、左右のシート・バック２２、２２がヘッド・レストレイント２３、２３を付けてリクライニング・デバイス３０、３０およびセンタ・フリー・ヒンジ３１でシート・クッション２１に角度調整可能にもまた後に倒してフルフラット可能にもヒンジ結合され、そして、そのシート・クッション２１がその左右のシート・バック２２、２２に対応するアンカレッジ開口２８、２８および２８、２８にチャイルド・シート・アンカレッジ２９、２９および２９、２９を突き出してチャイルド・シート４０をセット可能にするところのスプリット・シートに組み立てられ、そして、そのアンカレッジ開口２８、２８および２８、２８にそのトリム・カバー・プロテクタ１０、１０および１０、１０を用いる。勿論、そのアンカレッジ開口２８、２８および２８，２８は、図１および図３に示されたようにその左右のシート・バック２２、２２に対応して左右のそれぞれに対をなしてそのシート・クッション２１の着座面２４の後方部分に開口され、そして、そのシート・クッション２１のフレーム、すなわち、シート・クッション・フレーム２５のフレーム・リア２６を部分的に露呈する。そのチャイルド・シート・アンカレッジ２９、２９および２９、２９は、そのアンカレッジ開口２８、２８および２８、２８に露呈されるそのフレーム・リア２６の部分に溶接されてそのアンカレッジ開口２８、２８および２８、２８からその着座面２４に突き出される。
【０００６】
そのトリム・カバー・プロテクタ１０は、樹脂からスリーブ１１、フランジ１２、および突出し座１３を一体的に成形するところの開口の縁カバーである。そして、このトリム・カバー・プロテクタ１０では、そのスリーブ１１は、そのシート・クッション２１のその着座面２４のその後方部分に開口されてその着座面２４にそのチャイルド・シート・アンカレッジ２９，２９および２９，２９を突き出すそのアンカレッジ開口２８，２８および２８，２８に差し込まれるところの横断面長円形の短いバレルに設計され、そして、そのアンカレッジ開口２８，２８および２８，２８の補強も兼ね、また、そのフランジ１２は、そのスリーブ１１の上端に一体的に成形されてそのアンカレッジ開口２８，２８および２８，２８のまわりのその着座面２４を覆うところの曲りカバーに設計され、そして、そのチャイルド・シート４０のロック装置４１，４１の案内も兼ね、さらに、その複数の突出し座１３，１３は、そのフランジ１２の前側部分１４の表面１５にへこんでそれの裏面１６に突き出され、そして、そのシート・クッション２１のそのシート・クッション・フレーム２５のフレーム・リア２６上に乗せられてねじ１７でそのフレーム・リア２６に止められるところの底付き中空レッグに設計され、すなわち、取付け手段に設計される。
【０００７】
したがって、そのトリム・カバー・プロテクタ１０は、そのシート・クッション２１が組み立てられた後にそのアンカレッジ開口２８にそのスリーブ１１を差し込んでそのアンカレッジ開口２８のまわりのその着座面２４にそのフランジ１２を被せ、それからそのねじ１７でそのフレーム・リア２６上にその突出し座１３を止めてそのアンカレッジ開口２８に取り付けられる。そのようにそのトリム・カバー・プロテクタ１０を取り付けたそのリア・シート２０は、そのチャイルド・シート４０の装着にはそのトリム・カバー・プロテクタ１０，１０のそのフランジ１２，１２のその前側部分１４，１４の上にそのチャイルド・シート４０のそのロック装置４１，４１を滑べらせながらそのシート・バック２２の方にそのチャイルド・シート４０を押すと、そのロック装置４１，４１は、そのアンカレッジ開口２８，２８のまわりのトリム・カバー２７を引っ掛けずにそのチャイルド・シート・アンカレッジ２９，２９に簡単にかみ合わせられてそのチャイルド・シート４０はそのリア・シート２０、すなわち、そのシート・クッション２１に簡単で確実に外れ止めされてセットされ、そして、安全性が確保される。また、そのチャイルド・シート４０は、そのアンカレッジ開口２８，２８のまわりのそのトリム・カバー２７にそのロック装置４１，４１を引っ掛けずに簡単に取り外される。
【０００８】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【０００９】
【発明の便益】
上述から理解されるように、この発明のトリム・カバー・プロテクタは、シート・クッションの着座面の後方部分に開口されてその着座面にチャイルド・シート・アンカレッジを突き出すアンカレッジ開口に差し込まれるスリーブと、そのスリーブの上端に一体的に形成されてそのアンカレッジ開口のまわりのその着座面を覆うフランジと、そのフランジの前側部分の表面にへこんでそれの裏面に突き出され、そして、そのシート・クッションのフレーム上に据えられる複数の突出し座とを含むので、この発明のトリム・カバー・プロテクタでは、チャイルド・シートの装着時、そのアンカレッジ開口のまわりにあるトリム・カバーがそのチャイルド・シートのロック装置に引っ掛かることを未然に防止されてそのロック装置から保護され、そのチャイルド・シートの装着がそのフランジに案内されて簡単で確実になり、そして、安全性が確保され、そしてさらに、取付け作業性が向上されるに加えて意匠的効果も発揮されて外観が向上され、その結果、自動車シートにとって非常に有用で実用的である。
【図面の簡単な説明】
【図１】この発明のトリム・カバー・プロテクタの具体例を用いるところのワゴンのリア・シートを示した分解斜視図である。
【図２】図１に示されたそのリア・シートを前から見て示した部分斜視図である。
【図３】図２の３−３線に沿って示した断面図である。
【符号の説明】
１１    スリーブ
１２    フランジ
１３    突出し座
１４    前側部分
１５    表面
１６    裏面
２１    シート・クッション
２４    着座面
２５    シート・クッション・フレーム
２８    アンカレッジ開口
２９    チャイルド・シート・アンカレッジ
【図１】
0004090637.tif 000002
【図２】
0004090637.tif 000003
【図３】
0004090637.tif 000004